(57)【要約】【課題】ゴルファーによって利き手の手のひらを対向させる部分の面の大きさを選択可能なゴルフクラグ用グリップを提供する。【解決手段】グリップ１０は、グリップ本体１１と蓋１２とを備える。グリップ本体１１は、小径の先端部１６及び大径の後端部１７を有している。グリップ本体１１には、シャフト挿通孔１９，２９，３５が形成されている。シャフト挿通孔１９，２９，３５は、先端部側端面３３と後端部側端面３０との間を軸方向に沿って貫通している。蓋１２は、先端部側端面３３又は後端部側端面３０からシャフト挿通孔１９，２９，３５に着脱自在に装着される。【選択図】図４
2017108782.tif 000002
【特許請求の範囲】
【請求項１】
小径の一端部及び大径の他端部を有し、一端部側端面と他端部側端面との間を軸方向に沿って貫通するシャフト挿通孔が形成された筒状のグリップ本体と、
上記一端部側端面又は他端部側端面から上記シャフト挿通孔に着脱自在に装着される蓋とを備えたゴルフクラブ用グリップ。
【請求項２】
上記蓋は、上記シャフト挿通孔に嵌め込まれるプラグ部と、当該プラグ部に連続し上記一端部側端面又は他端部側端面に当接するフランジ部とを有する請求項１に記載のゴルフクラブ用グリップ。
【請求項３】
上記蓋は、当該蓋の軸方向に沿って貫通する空気挿通孔を備えている請求項１又は２に記載のゴルフクラブ用グリップ。
【発明の詳細な説明】
【技術分野】
【０００１】
この発明は、ゴルフクラブ用グリップの構造に関するものである。
【背景技術】
【０００２】
一般にゴルフクラブは、ヘッド、シャフト及びグリップから構成されている。パター用グリップは、一般にウッド及びアイアン用グリップとは形状が異なる。すなわち、ウッド及びアイアン用グリップの断面形状は一般に円形であり、パター用グリップの断面形状は、略カム形のグリップが用いられることが多い。また、これらのグリップの外形は、一般に長手方向にテーパが形成されており、グリップエンド側がヘッド側に比べて太くなっている（たとえば、特許文献１参照）。
【０００３】
パッティングにおけるスイング幅は、ウッド及びアイアンを使用するショットにおけるスイング幅と比較してきわめて小さい。そのため、パッティングでは、基本的にゴルファーが利き手を返さないようにスイングする。従来のパター用グリップの形状は、このようなパターのスイングに適するものとして設計されている。
【０００４】
一般的なパター用グリップの形状は、次のとおりである。以下の説明では、ゴルファーがパッティングアドレスをとった状態、すなわち、パターヘッドを上方から見下ろしている状態とする。
【０００５】
グリップの外周の上側面（ゴルファーの親指が当接する面）は、略平面状に形成されている。グリップの外周の左側面及び右側面は、上側面の両側と連続し且つ略直交した平面である。また、グリップの外周の下側面は、上記左側面及び右側面に連続し且つ略円弧状に湾曲している。上記左側面及び右側面は、スイング軌道に略直交している。ゴルファーは、グリップの左側面に左手を当接させ、グリップの右側面に右手を当接させてグリップする。ゴルファーは、この状態で手首を返さずにスイングすることで、ボールの進行方向に対してパターヘッドのフェース面が直交するように当該フェース面の向きを保ったままヘッドを移動させる。
【先行技術文献】
【特許文献】
【０００６】
【特許文献１】特開２０１０−１８８０１９号公報
【発明の概要】
【発明が解決しようとする課題】
【０００７】
基本的なグリップの握り方は、利き手でない方の手がグリップエンド側を握り、利き手がヘッド側を握る。上述のように一般にグリップはテーパ状を呈するため、利き手でない方の手がグリップの太い部分を握り、利き手がグリップの細い部分を握る。
【０００８】
ところで、パターのスイングでは、特に利き手の感覚が重要である。このため、ゴルファーによっては、利き手の手のひらにグリップの太い部分が当接する方がより良いパッティングの感覚を得られることもある。
【０００９】
本発明はかかる背景のもとになされたものであって、その目的は、ゴルファーの好みに応じて利き手の手のひらを対向させる部分の面の大きさを選択可能なゴルフクラグ用グリップを提供することである。
【課題を解決するための手段】
【００１０】
(1) 上記目的が達成されるため、本発明に係るゴルフクラグ用グリップは、小径の一端部及び大径の他端部を有し、一端部側の端面（一端部側端面）と他端部側の端面（他端部側端面）との間を軸方向に沿って貫通するシャフト挿通孔が形成された筒状のグリップ本体と、上記一端部側端面又は他端部側端面から上記シャフト挿通孔に着脱自在に装着される蓋とを備えている。
【００１１】
この構成によれば、ゴルフクラグ用グリップの一端部側端面と他端部側端面との間をシャフト挿通孔が軸方向に沿って貫通している。そのため、ゴルフクラグ用グリップがシャフトに装着される際、ゴルファーは、ゴルフクラブ用グリップの軸方向の向きを選択することができる。すなわち、ゴルフクラグ用グリップの軸方向の一端部側が小径であり、他端部側が大径であるので、ゴルファーは、ヘッド側よりグリップエンド側が太くなる向き、又は、グリップエンド側よりヘッド側が太くなる向きのいずれかの向きを選択することができる。これにより、ゴルファーは、利き手の手のひらに、ゴルフクラブ用グリップの大径部分を対向させるようにゴルフクラブ用グリップを装着するか、又は、小径部分を対向させようにゴルフクラブ用グリップを装着するかを、好みに合わせて選択することができる。
【００１２】
また、蓋が上記シャフト挿通孔を塞ぐことができるので、ゴルファーはが上記いずれの向きを選択してゴルフクラブ用グリップをシャフトに装着した場合であっても、ゴルフクラブ用グリップのデザイン性が損なわれることがなし、この蓋によってデザイン性が向上され得る。加えて、シャフトがゴルフクラブ用グリップに挿入される際に、シャフトが蓋に当接することで、容易にゴルフクラブ用グリップの位置決めも可能となる。
【００１３】
(2) 上記蓋は、上記シャフト挿通孔に嵌め込まれるプラグ部と、当該プラグ部に連続し上記一端部側端面又は他端部側端面に当接するフランジ部とを有することが好ましい。
【００１４】
上記構成によれば、シャフト挿通孔に蓋が挿入される際、ゴルフクラブ用グリップの一端部側端面又は他端部側端面にフランジ部が当接する位置で蓋が容易に位置決めされ、安定する。
【００１５】
(3)上記蓋は、当該蓋の軸方向に沿って貫通する空気挿通孔を備えていることが好ましい。
【００１６】
上記構成によれば、蓋が装着された状態で、ゴルフクラブ用グリップにシャフトが挿通される場合であっても、空気挿通孔を通してゴルフクラブ用グリップ内の空気が排出される。したがって、ゴルフクラブ用グリップにシャフトを挿通する作業が容易になる。
【発明の効果】
【００１７】
この発明によれば、ゴルフクラブのシャフトは、ゴルフクラブ用グリップの小径側あるいは大径側のいずれからでも挿入され得る。したがって、ゴルファーは、利き手の手のひらを対向させる部分の面の大きさを選択することができる。
【図面の簡単な説明】
【００１８】
【図１】図１は、本発明の一実施形態に係るグリップの外観を表す斜視図であり、正面及び大径を有する端面側から見た状態で、かつ本体に蓋が装着されていない状態を示す。
【図２】図２は、本発明の一実施形態に係るグリップを外観を表す斜視図であり、正面及び小径を有する端面側から見た状態で、かつ本体に蓋が装着されていない状態を示す。
【図３】図３は、本発明の一実施形態に係るグリップの外観を表す斜視図であり、背面及び大径を有する端面側から見た状態で、かつ本体に蓋が装着された状態を示す。
【図４】図４は、本発明の一実施形態に係るグリップの内部構造を示す斜視図であり、正面及び大径を有する端面側から見た状態で、かつアウター、インナー、エンドキャップ及び蓋がそれぞれ分解された状態を示す。
【図５】図５は、本発明の一実施形態に係るグリップの断面図であり、軸方向に垂直な断面を示す。
【図６】図６は、本発明の一実施形態に係るグリップの断面図であり、軸方向の断面を示す。
【発明を実施するための形態】
【００１９】
以下、適宜図面が参照されて、本発明の好ましい実施形態が説明される。なお、以下に示される各実施形態は、本発明の一実施形態にすぎず、本発明の要旨を変更しない範囲で適宜変更され得ることは言うまでもない。
【００２０】
［ゴルフクラブ用グリップの概略］
【００２１】
図１〜図３は、本発明の一実施形態に係るゴルフクラブ用グリップ（以下、「グリップ」と称される。）１０の外観を表す斜視図であり、図４は、グリップの内部構造を示す斜視図であり、図５及び図６は、グリップの断面図である。
【００２２】
このグリップ１０は、ゴルフクラブ（特にパター）に装着されるものである。具体的には、グリップ１０は、パターのシャフトの後端部に嵌め込まれて固定される。シャフトは、断面が円形の棒状に形成されており、スチールのほかカーボン繊維強化樹脂等から構成される。なお、このシャフトの先端にクラブヘッドが装着される。
【００２３】
このグリップ１０は、ゴルファーがゴルフクラブを使用する際に把持する部材であるから、ゴルファーにとって握り易い形状であることが要請される。そのため、本実施形態に係るグリップ１０は、筒状に形成されており、その断面形状は、図５に示されるように略カム形である。なお、グリップ１０の断面形状は略カム形に限定されるものではなく、四角形などであってもよい。
【００２４】
本実施形態に係るグリップ１０の特徴とするところは、第１に、図１及び図２が示すようなグリップ本体１１と蓋１２とを備えており、グリップ本体１１に軸方向に貫通するシャフト挿通孔２９（１９：図４参照），３５が形成されている点である。すなわち、グリップ１０がシャフトに装着される際、グリップ１０の先端部１６をクラブヘッド側にして装着するか、又は、グリップ１０の後端部１７をクラブヘッド側にして装着するかをゴルファーが選択できる。
【００２５】
本実施形態に係るグリップ１０の特徴とするところは、第２に、図４が示すような二層構造を備えており、外側部分（後述のアウター１４）が透光性を有している点である。すなわち、内側部分（後述のインナー１３）の外周面２４にロゴ２５などの色柄模様が付されることにより、ゴルファーが外側部分（後述のアウター１４）を通して外部からロゴ２５などを透視することができる。加えて、金型の変更を要することなく、ロゴ２５などが容易に付されたり変更され得る。
【００２６】
［グリップの構造］
【００２７】
図４が示すように、グリップ１０は、インナー１３、アウター１４及びエンドキャップ１５を有するグリップ本体１１と、エンドキャップ１５に装着された蓋１２とを備えている。エンドキャップ１５は、インナー１３及びアウター１４の後端に設けられる。前述のように、グリップ１０は全体として筒状を呈するが、グリップ１０の先端部１６の断面の寸法は、グリップ１０の後端部１７の断面の寸法よりも小さい。このため、グリップ１０の外形形状はテーパー状を呈し、グリップ１０は、先端部１６から後端部１７に向かって漸次太くなっている。グリップ１０がかかる形状を備えることにより、ゴルファーは、グリップ１０を確実に把持することができる。
【００２８】
グリップ１０の断面形状は、図５が示すように略カム形である。グリップ１０の外形形状は、ゴルファーがパッティングを行う際に握り易くなるように設計されている。具体的には、グリップ１０の断面形状は、平面部４３と、この平面部４３の両端に連続するＵ字の湾曲部４４とを有する形状である。上記平面部４３は、グリップ１０の正面であり、上記湾曲部４４が形成された側がグリップ１０の背面である。
【００２９】
［インナー］
【００３０】
図４が示すように、インナー１３は樹脂からなり、射出成型により構成されている。インナー１３を構成する樹脂の種類は特に限定されない。
【００３１】
インナー１３は、全体として筒状を呈する。図５が示すように、インナー１３の外周面形状は、グリップ１０の外周面形状と略相似形であり、グリップ１０の外周面形状より小さい。インナー１３の先端部２０の断面形状は、インナー１３の後端部２１の断面形状よりも小さい。このため、インナー１３の外形形状はテーパー状を呈し、インナー１３は、先端部２０から後端部２１に向かって漸次太くなっている。本実施形態では、インナー１３の長さ寸法は２３６ｍｍ、先端部側端面２２における長手方向の寸法Ｌ１（図５参照）は１７．０ｍｍ、短手方向の寸法Ｌ２（図５参照）は１６．０ｍｍ、後端部側端面２３における長手方向の寸法Ｌ１は３０．０ｍｍ、短手方向の寸法Ｌ２は２１．０ｍｍに設定されている。ただし、インナー１３のサイズは、適宜設計変更され得る。
【００３２】
図６が示すように、インナー１３にシャフト挿通孔１９が形成されている。シャフト挿通孔１９は、後端部側端面２３から軸方向に沿ってインナー１３を貫通している。シャフト挿通孔１９は、シャフトの外径寸法に対応した内径を有する第１部分４５と、第１部分４５より大きい内径を有する第２部分４６からなる。第２部分４６は第１部分４５の後端側に形成されている。第２部分４６の内径寸法は、後述するエンドキャップ１５の嵌合部２７の外径寸法に対応している。第２部分４６の軸方向の長さは、エンドキャップ１５の嵌合部２７の軸方向の長さに対応している。
【００３３】
インナー１３の外周面２４にロゴ２５が付されている。ロゴ２５は、転写やインクジェット等の印刷や塗装によりインクや塗料を外周面に付着させて形成されてもよいし、ロゴ２５が付されたステッカーが外周面２４に貼り付けられてもよい。一般に、印刷等の方がステッカーよりも、外周面２４とロゴ２５との段差を小さくすることができる。
【００３４】
［エンドキャップ］
【００３５】
本実施形態では、上記エンドキャップ１５がインナー１３に固定されている。エンドキャップ１５は円盤状に形成されている。エンドキャップ１５は、インナー１３の後端部側端面２３に嵌め込まれている。エンドキャップ１５は、嵌合部２７とフランジ部２８とを有し、これらは一体的に形成されている。この嵌合部２７がインナー１３のシャフト挿通孔１９に嵌め込まれている。エンドキャップ１５は樹脂からなり、射出成型により構成されている。エンドキャップ１５にシャフト挿通孔２９が設けられている。このシャフト挿通孔２９は、嵌合部２７及びフランジ部２８を上記軸方向に貫通している。このシャフト挿通孔２９の内径寸法は、シャフトの外径寸法に対応している。このため、エンドキャップ１５がインナー１３に嵌め込まれている状態で、インナー１３のシャフト挿通孔１９の内周面とエンドキャップ１５のシャフト挿通孔２９の内周面とが滑らかに連続する。フランジ部２８の外周形状及び寸法は、後述するアウター１４の後端部側端面３４の外周形状及び寸法に対応している。
【００３６】
インナー１３は、エンドキャップ１５をインサート材としてインサート成形されることにより構成される。したがって、インナー１３の後端部２１は確実にエンドキャップ１５と固着する。すなわち、エンドキャップ１５の嵌合部２７がインナー１３におけるシャフト挿通孔１９の第２部分４６に固着する。
【００３７】
［アウター］
【００３８】
図４が示すように、アウター１４は樹脂からなり、射出成型により構成されている。アウター１４を構成する樹脂は、透光性を有する樹脂である。また、アウター１４を構成する樹脂には、顔料が含まれていてもよい。顔料により、アウター１４を着色することができる。顔料は、アウター１４を構成する樹脂の透光性を阻害しない程度に含まれているとよい。
【００３９】
アウター１４は、全体として筒状を呈する。アウター１４の外周面３８はグリップ１０の外周面を形成している。アウター１４の先端部１６（グリップ１０の先端部１６と同じ）の断面形状は、アウター１４の後端部１７（グリップ１０の後端部１７と同じ）の断面形状よりも小さい。このため、アウター１４もインナー１３と同様に、その外形形状はテーパー状を呈し、アウター１４は、先端部１６から後端部１７に向かって漸次太くなっている。また、アウター１４の最先端部３１は、円錐台形状を呈している。本実施形態では、アウターの長さ寸法は２６０ｍｍ、先端部側端面３３における外径は１７．０ｍｍ、後端部側端面３４における長手方向の寸法Ｌ３（図５参照）は３７．０ｍｍ、短手方向の寸法Ｌ４（図５参照）は２７．０ｍｍに設定されている。ただし、アウター１４のサイズは、インナー１３のサイズに対応して適宜設計変更され得る。
【００４０】
アウター１４は、インナー１３をインサート材としてインサート成形される。つまり、アウター１４は、上記インナー１３を被覆するように上記樹脂によって成形される。これにより、アウター１４と、インナー１３及びエンドキャップ１５とが融着され、これらが一体となって強固に固着する。インナー１３の長さ寸法は、アウター１４の長さ寸法より短いため、グリップ１０の先端部１６は、アウター１４の先端部１６のみで形成される。そのため、アウター１４の先端部１６にはシャフト挿通孔３５が形成されている。シャフト挿通孔３５の内径寸法は、シャフトの外径寸法に対応している。インナー１３のシャフト挿通孔１９の内周面、エンドキャップ１５のシャフト挿通孔２９の内周面及びアウター１４のシャフト挿通孔３５の内周面は滑らかに連続している。このようにアウター１４がインサート成形されることにより、グリップ本体１１が形成される。
【００４１】
アウター１４の最先端部３１及び後述するロゴ透視領域３７を除くアウター１４の外周面３８に、微細な凹部及び凸部が形成されている。これら凹部及び凸部は、上記金型に形成された凹部及び凸部により形成される。アウター１４の外周面３８に形成された凹部及び凸部は、ゴルファーがグリップ１０を握ってスイングを行う際に滑り止め効果を発揮する。本実施形態では、図１〜図４が示すように、アウター１４の外周面３８に、凹部及び凸部のパターン（配置、大きさ等のパターン）による図柄模様が形成されている。
【００４２】
また、アウター１４の外周面３８のロゴ透視領域３７の面粗度Ｒｚは、Ｒｚ≦２００ｎｍに形成されている。ロゴ透視領域３７の面粗度Ｒｚは、たとえば、金型におけるロゴ透視領域３７に対応する領域の面粗度ＲｚがＲｚ≦２００ｎｍに設定されることにより実現される。ロゴ透視領域３７は、インナー１３の外周面２４においてロゴ２５が付されている位置に対応している。ロゴ透視領域３７の面粗度ＲｚがＲｚ≦２００ｎｍに形成されていることにより、ゴルファーは、ロゴ透視領域３７を通してロゴ２５を明確に透視できる。
【００４３】
インナー１３、アウター１４及びエンドキャップ１５が一体となってグリップ本体１１が形成された状態において、アウター１４の先端部側端面３３がグリップ１０の先端部側端面３３となり、エンドキャップ１５の表面３０がグリップ１０の後端部側端面３０となる。シャフト挿通孔１９，２９，３５は連続しており、これらがグリップ本体１１の内部を貫通している。シャフトの後端部は、グリップ１０の先端部１６からシャフト挿通孔１９，２９，３５に挿入可能であり、又、グリップ１０の後端部１７からシャフト挿通孔１９，２９，３５に挿入可能である。シャフトがシャフト挿通孔１９，２９，３５に挿入された状態において、シャフト挿通孔１９，２９，３５の内周面とシャフトの外周面とは密着する。
【００４４】
［蓋］
【００４５】
蓋１２は略円柱状に形成されている。蓋１２は、図４が示すようにエンドキャップ１５の表面３０に嵌め込まれている。蓋１２は、プラグ部４１とフランジ部４２とを有し、これらは一体的に形成されている。蓋１２は樹脂からなり、射出成型により構成されている。プラグ部４１の外径は、エンドキャップ１５のシャフト挿通孔２９の内径に対応している。フランジ部４２の外径は、プラグ部４１の外径より大きい。フランジ部４２の中央に空気挿通孔３９が設けられている。この空気挿通孔３９は、フランジ部４２及びプラグ部４１を貫通している。このフランジ部４２の外径は、エンドキャップ１５の外周より小さい。プラグ部４１の先端角部は、面取加工がなされており、曲面となっている。そのため、蓋１２は、エンドキャップ１５のシャフト挿通孔２９又はアウター１４のシャフト挿通孔３５に容易に挿抜され得る。
【００４６】
［グリップの作用効果］
【００４７】
このグリップ１０は、ゴルフクラブ（特にパター）のシャフトに装着される。ゴルファーは、グリップ１０を把持してパターをスイングさせる。これによりパターのヘッドとボールとが衝突し、ボールは所定の方向へ転がる。
【００４８】
グリップ１０の先端部側端面３３と後端部側端面３０との間をシャフト挿通孔１９，２９，３５が軸方向に沿って貫通している。そのため、グリップ１０をシャフトに装着する際、ゴルファーは、グリップ１０の軸方向の向きを選択することができる。すなわち、グリップ１０の先端部１６が小径であり、後端部１７が大径であるので、ゴルファーは、グリップエンド側が太くなる向き、又は、グリップエンド側が細くなる向きのいずれかの向きを自由に選択することができる。これにより、ゴルファーは、利き手の手のひらに、グリップ１０の大径部分を対向させるようにグリップ１０を装着するか、又は、小径部分を対向させようにグリップ１０を装着するかを、好みに合わせて選択することができる。
【００４９】
また、グリップ１０がいずれの向きに装着された場合であっても、開放されたシャフト挿通孔１９、２９又は３５が蓋１２によって閉塞される。そのため、グリップ１０のデザイン性が損なわれることがないし、この蓋１２のデザインが工夫されることによってグリップ１０のデザイン性がさらに向上する。加えて、シャフトをグリップ１０のシャフト挿通孔１９，２９，３５に嵌め合わせられる際に、シャフトが蓋１２のプラグ部４１に当接することで、容易にグリップ１０の位置決めができる。
【００５０】
蓋１２は、上記プラグ部４１及びフランジ部４２とを有する。そのため、シャフト挿通孔２９又はシャフト挿通孔３５に蓋１２が挿入される際、グリップ１０の先端部側端面３３又は後端部側端面３０にフランジ部４２が当接する位置で蓋１２が容易に位置決めされ、安定する。
【００５１】
蓋１２は、グリップ１０の軸方向に沿って貫通する空気挿通孔３９を備えている。そのため、蓋１２が装着された状態で、グリップ１０にシャフトが挿通される場合であっても、空気挿通孔３９を通してグリップ１０内の空気が排出される。したがって、グリップ１０にシャフトを容易に挿通できる。
【００５２】
［変形例］
【００５３】
前述の実施形態においては、グリップ本体１１がインナー１３とアウター１４とで構成される二層構造を有していたが、グリップ本体１１は二層構造を有していなくても良い。また、インナー１３とアウター１４とエンドキャップ１５との区別なしにグリップ本体１１が形成されていてもよい。
【符号の説明】
【００５４】
１０・・・グリップ（ゴルフクラブ用グリップ）
１１・・・グリップ本体
１２・・・蓋
１６・・・先端部（一端部）
１７・・・後端部（他端部）
１９，２９，３５・・・シャフト挿通孔
３０・・・後端部側端面（他端部側端面）
３３・・・先端部側端面（一端部側端面）
３９・・・空気挿通孔
４１・・・プラグ部
４２・・・フランジ部
【図１】
2017108782.tif 000003
【図２】
2017108782.tif 000004
【図３】
2017108782.tif 000005
【図４】
2017108782.tif 000006
【図５】
2017108782.tif 000007
【図６】
2017108782.tif 000008